(57)【要約】【課題】所定時間での体温変化が健常時とどのように異なるかどうかを容易に比較できる介護施設および／または在宅における監視装置の提供。【解決手段】介護施設および／または在宅における監視装置であって、電源電池を備え、所定時分ごとに温度を測定・記憶する第１の測温部と、温度測定部を有するＩＣタグを備え、被検者の適所で測定可能な第２の測温部と、測定された体温情報を読取るＩＣタグ読み取り部と、体重等の生体情報，予防接種情報等を入力可能な入力部と、体温測定部による測定値を記憶する記憶部と、記憶部により記憶されている各種生体情報をトレンド表示するとともに、第１の測定部で予め所定時間の体温をトレンド記憶しておき、第２の測温部で測定し、被測定者のＩＤデータとともにトレンド記憶した体温データと比較表示するようにしたことを特徴とする。【選択図】図２
2007229082.tif 000002
【特許請求の範囲】
【請求項１】
介護施設および／または在宅における監視装置であって、
電源電池を備え、所定時分ごとに温度を測定・記憶する第１の測温部と、温度測定部を有するＩＣタグを備え、被検者の適所で測定可能な第２の測温部と、測定された体温情報を読取るＩＣタグ読み取り部と、体重等の生体情報，予防接種情報等を入力可能な入力部と、前記体温測定部による測定値を記憶する記憶部と、前記記憶部により記憶されている各種生体情報をトレンド表示するとともに、前記第１の測定部で予め所定時間の体温をトレンド記憶しておき、前記第２の測温部で測定し、被測定者のＩＤデータとともにトレンド記憶した体温データと比較表示するようにしたことを特徴とする介護施設および／または在宅における監視装置。
【請求項２】
所定の閾値以上の体温変化または所定の閾値以上／以下の体温が検出されるとアラームを発生することを特徴とする請求項１記載の介護施設および／または在宅における監視装置。
【請求項３】
体重，血圧，血糖値等の生体情報も入力、記憶、表示することを特徴とする請求項１記載の介護施設および／または在宅における監視装置。
【請求項４】
バイオリズム情報も選択・表示可能としたことを特徴とする請求項１記載の介護施設および／または在宅における監視装置。
【請求項５】
介護施設および／または在宅における監視装置であって、
電源電池を備え、所定時分ごとに温度を測定・記憶する測温部を含み、体温の測定に付随する各種情報を入力する入力部と、前記体温測定部による測定値を記憶する記憶部と、前記記憶部により記憶されている測定値等を表示するとともに、必要に応じて前記測温部を身体の適所に装着または接触してトレンド記憶した体温データと比較表示するようにしたことを特徴とする介護施設および／または在宅における監視装置。
【発明の詳細な説明】
【技術分野】
【０００１】
本発明は、介護施設および／または在宅における監視装置に関し、特に、予め２４時間の体温トレンドを記憶しておき、モニタする時は、測定部と本体部が分離され、体温データが無線で所定間隔で送信される介護施設および／または在宅における監視装置に関する。
【背景技術】
【０００２】
従来、在宅などにおいて非侵襲、非観血に使用者の生体信号を検出し、異常状態の有無や健康状態を記録、通報したり使用者の健康を維持、向上させる監視装置において、使用者ごとに収集、蓄積された生体信号の履歴とその使用者向けに適切に設定された判定基準に基づき現在の身体状態を判定することで、緊急通報（クリティカル・ケア）したり疾患の予防、早期発見（プライマリ・ケア）するなど健康管理を積極的に支援する監視装置が提案されている（特許文献１：特開２００４−１８１２１８号公報）。この監視装置は、使用者の複数の種類の生体信号を検出する生体情報検出手段と、生体情報検出手段のうち少なくとも１つの生体信号の出力に基づいて使用者の特徴を抽出し使用者を識別する使用者識別手段と、生体情報検出手段の時系列データを蓄積する記憶手段と、記憶手段に蓄積された複数の種類の生体信号の時系列データに基づいて使用者ごとの生物時計に合致した判定基準を設定する設定手段と、記憶手段に蓄積された生体信号の時系列データ及び前記判定基準に基づき使用者の身体状態を判定する判定手段と、判定手段の判定結果に応じて報知信号を発する制御手段とを備えている。しかしながら、ＩＣタグによる個人識別をおこなうものでなく、個人を特定するための演算処理が複雑になるという問題がある。
【特許文献１】特開２００４−１８１２１８号公報
【発明の開示】
【発明が解決しようとする課題】
【０００３】
本発明の目的は、上記問題点に鑑みてなされたもので、血圧，脈拍，呼吸等の生体情報もトレンド記憶し、表示するとともに、予防接種等の情報や、風邪，インフルエンザ等の感染症等による所定時間での体温変化が健常時とどのように異なるかどうかを容易に比較できる介護施設および／または在宅における監視装置を提供することにある。
【課題を解決するための手段】
【０００４】
上記課題を解決するために、本発明の介護施設および／または在宅における監視装置は、電源電池を備え、所定時分ごとに温度を測定・記憶する第１の測温部と、温度測定部を有するＩＣタグを備え、被検者の適所で測定可能な第２の測温部と、測定された体温情報を読取るＩＣタグ読み取り部と、体重値等の生体情報，予防接種情報等を入力可能な入力部と、体温測定部による測定値を記憶する記憶部と、記憶部により記憶されている各種生体情報をトレンド表示するとともに、第１の測定部で予め所定時間（所定期間）測定された体温をトレンド記憶しておき、第２の測温部で測定し、被検者のＩＤデータとともにトレンド記憶した体温データと比較表示するようにしたことを特徴とする。また、所定の閾値以上の体温変化または所定の閾値以上／以下の体温が検出されるとアラームを発生することを特徴とする。また、体重，血圧，血糖値，脈拍，血中酸素飽和度（ＳＰＯ２）等の生体情報も入力、記憶、表示することを特徴とする。また、バイオリズム情報も選択・表示可能としたことを特徴とする。また、本発明の介護施設および／または在宅における監視装置は、電源電池を備え、所定時分ごとに温度を測定・記憶する測温部を含み、体温の測定に付随する各種情報を入力する入力部と、体温測定部による測定値を記憶する記憶部と、記憶部により記憶されている測定値等を表示するとともに、必要に応じて前記測温部を身体の適所に装着または接触してトレンド記憶した体温データと比較表示するようにしたことを特徴とする。
【発明の効果】
【０００５】
本発明によれば、きめ細やかに体温トレンド情報を記憶しておき、それと比較するため、風邪，インフルエンザ等の感染症等による急激な体温変化に対して速やかにアラームを発生し、介護者または主治医等に報知することができる。さらに、インフルエンザ等の感染症による呼吸器系の疾患についても速やかに把握できる。
【発明を実施するための最良の形態】
【０００６】
図１は、本発明の一実施例を示し、介護施設内，自宅等に設置した被介護者及び監視装置の概略を示している。図２は監視装置を形成する端末装置５と携帯端末５０のブロック図、図３は、温度測定部を有するＩＣタグ（ＲＦＩＤ）及び温度測定部を有し電池が搭載されたＩＣタグのブロック図である。なお、本願発明は実施例に限定されるものでなく、適宜変更が可能である。
【０００７】
図１において、１は病院、介護施設，在宅等の部屋を示し、パソコンなどの機能を有する端末装置５と被介護者（患者）の適所に装着された温度測定部を有するＩＣタグ（ＲＦＩＤ）の体温情報を取得できるようにしている。また、端末装置５から専用ＬＡＮ，電話回線，インターネット等の情報通信ネットワーク８を介して、ナースセンター，主治医等のサイト７と情報通信可能となっている。
【０００８】
＜監視システムの具体的構成＞
被介護者（老人，重度身体障害者等）Ｐである被検者は、病院内や在宅のベッド３上に横臥，仰臥等の状態でいる。必要に応じてオムツ（パンツ）をはいている。被検者に対して、温度測定部を有するＩＣタグ１００を含む第２の測温部、電池内蔵ＩＣタグ２００を含む第２の測温部を身体の適所、外耳道内に挿入したり、面ファスナー等を備える囲包部材で囲包し、着オムツに脱自在に装着したり、リストバンドに設けたりして被検者Ｐの体温測定を行なう。
【０００９】
端末装置５には、表示部５１、ブザー等の報知手段５２、無線によるＩＣタグ読取り部５３、入力部５４、記憶部５５、処理フロー等を記憶し、コンピュータで読取り可能なプログラムを記憶しているＲＡＭ５６，ＲＯＭ（ＥＥＰＲＯＭ）５７，情報通信ネットワーク８を介して通信を行なう外部通信部５８を備えている。また、携帯端末５０にも、表示部１１、ブザー等の報知手段１９、無線によるＩＣタグ読取り部１３、入力部１４、記憶部１５、処理フロー等を記憶し、コンピュータで読取り可能なプログラムを記憶しているＲＡＭ１６，ＲＯＭ１７，情報通信ネットワーク８を介して通信を行なう外部通信部１２を備えている。また、入力または取得する生体情報を選択するための機能スイッチを設けて適宜選択して、体温，体重，血圧，脈拍，血糖値，血中酸素飽和度（ＳＰＯ２）等のいずれかを選択できるようにしている。なお、病院等で使用する温度測定部を有するＩＣタグ１００は、同時に体温情報の読取り可能になる、アンチコリージョン型のＩＣタグを用いることが好ましい。
【００１０】
管理サイト／医療サイト７にはサーバー（データ処理装置）を設置し、被検者ＰのＩＤと関連付けして、脈拍，呼吸，血圧，体温，血中酸素飽和度，血糖等の生体情報の測定データの収集、集計、データ分析等を行うようにしてもよい。また、担当医の机上にも管理パソコン等を設置し、担当医が随時、被検者Ｐの身体状態を把握、監視するとともに、緊急時の被検者異常通報を受けたり、電話器により適宜看護婦の待機部屋に指示を出したり、ハンディ・ナースコールで連絡したりすることができるようにしてもよい。また、時計部（不図示）は電波受信により時刻補正ができる、電波時計機能を設けておくと時刻調整の必要がなくなり都合がよい。
【００１１】
＜ＩＣタグの構成＞  
図３（ｂ）において、１０１は、ＩＣタグ読み取り部１３（図２参照）からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、測定された体温情報、被検者Ｐの情報等も記憶可能である。なお、ロジック部１１０は、より複雑な処理フローの制御が可能なＣＰＵとしてもよい。
【００１２】
温度センサ１０６としては、温度変化に対してほぼリニアにアナログ出力し、小型化・ＩＣタグとの一体化が可能で、３２〜４２℃の間で所定の温度分解能、例えば０．１〜０．０５℃である、半導体型の温度センサ、例えばＣ−ＭＯＳ温度センサが好ましく用いられるが、サーミスタ型、サーモパイル（熱電対）型でも可能である。なお、婦人用体温計として用いる場合、３５〜３８℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ（ＲＦＩＤ；第２の測温部）１００の各部に電源を供給する。１０７はＡ／Ｄ変換部であり、温度センサ１０６と発振回路（不図示）で発生した体温信号をＡ／Ｄ変換するものである。
【００１３】
ＩＣタグ１００は、アンテナ１０３ａを含めて幅Ｗが５ｍｍ×５ｍｍ、厚さＴが１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。また、間違った被検者Ｐの情報を取得しないようにアンチ・コリージョンタイプとしたり、アンテナ１０３ａから出力される信号を暗号化処理可能にしてセキュリティ機能を持たせることができる。
【００１４】
＜電池内蔵ＩＣタグの構成＞
図３（ｃ）において、２０１は、ＩＣタグ読み取り部１３，５３（図２参照）からの信号を受け、ロジック部２１０を所定のフローで動作させるプログラムが記憶され、コンピュータで読取り可能な記憶媒体であるＲＡＭである。２０２はＥＥＰＲＯＭで、温度センサ２０６のそれぞれに対応するオフセット値，温度補正値などが記憶されている。また、測定された体温情報、被検者Ｐの情報等も記憶可能である。なお、ロジック部２１０は、より複雑な処理フローの制御が可能なＣＰＵとしてもよい。
【００１５】
温度センサ２０６としては、温度変化に対してほぼリニアにアナログ出力し、小型化・ＩＣタグとの一体化が可能で、３２〜４２℃の間で所定の温度分解能、例えば０．１〜０．０５℃である、半導体型の温度センサ、例えばＣ−ＭＯＳ温度センサが好ましく用いられるが、サーミスタ型、サーモパイル（熱電対）型でも可能である。なお、婦人用体温計として用いる場合、３５〜３８℃の間で温度分解能が０．０５℃である、半導体型の温度センサ、例えばＣ−ＭＯＳ温度センサが好ましく用いられるが、サーミスタ型、サーモパイル（熱電対）型でも可能である。２０３は、被検者Ｐに設けられた温度測定部を有するＩＣタグ２００の体温情報を信号線を介して送信するための外部通信部、２０４は電源部、２０４ａは電源供給のための電池である。２０７はＡ／Ｄ変換部であり、温度センサ２０６と発振回路（不図示）で発生した体温信号をＡ／Ｄ変換するものである。ＩＣタグ（第１の測温部）２００は、１０ｍｍФ、厚さ１．５ｍｍ程度の大きさである。外部通信部２０３から出力される信号を暗号化処理可能にしてセキュリティ機能を持たせることができる。このＩＣタグ２００は、測定間隔にもよるが測定間隔が１分で３日分程度、５分で２週間分程度、１０分で１ケ月分程度の体温測定・記憶が可能となっている。測定間隔の設定は専用の書き込み装置で行なうか、携帯端末５０の入力部１４または端末５の入力部５４で行い、接続端子（不図示）、外部送受信部２０３を介して、ＥＥＰＲＯＭ２０２に書き込まれる。
【００１６】
＜電池内蔵ＩＣタグによる体温情報取得＞
被検者Ｐに対して看護／介護者は、まず、ＩＣタグ２００を備えた第１の測温部を被検者Ｐに対して、外耳道内に挿入したり、面ファスナー等を備える囲包部材で囲包し、着脱自在にオムツ装着したり、リストバンドに設けたりしてＩＣタグ２００が接触するように身体の適所に装着する。所定期間、例えば、春季，夏季，秋季，冬季の任意に選択した１ケ月分、１週間分、１日（２４時間）分測定・記憶し、ＥＥＰＲＯＭ２０２に時刻とともに体温情報が記憶される。記憶された体温情報は、端末５の所定位置に第１の測温部をセットすることにより、外部送信部２０３から信号線を介して外部通信部５８を経て記憶部５５に記憶される。図４は、春季，夏季，秋季，冬季の任意に選択した１日（２４時間）分測定・記憶し、ＥＥＰＲＯＭ２０２に時刻とともに記憶された体温情報を表示部１１，５１に表示する一例である。
【００１７】
＜体温情報に基づく通常の健康管理＞
被検者Ｐに温度測定部を有するＩＣタグ（ＲＦＩＤ）１００を含む第２の測温部を、上述したように、被検者Ｐに対して、外耳道内に挿入したり、面ファスナー等を備える囲包部材で囲包し、着脱自在にオムツ装着したり、リストバンドに設けたりしてＩＣタグ２００が接触するように身体の適所に装着または貼付ける。測定開始の時間のカウントを開始するか、入力部５４などで測定開始時刻設定（時間設定）指示入力を行なうことにより、測定を開始する。体温情報は、入力部５４で予め設定入力された時間条件、例えば温度測定部を有するＩＣタグ（ＲＦＩＤ）１００を含む第２の測温部を被検者Ｐに装着して測定開始指示入力を行なった時点、所定の温度上昇が確認できた時点等を基点として、例えば５分後にＩＣタグ１００に対してＩＣタグ読取り部５３から所定の周波数、例えば１３．５６ＭＨｚの電磁波を送信（この場合、送受信距離は、３ｃｍ〜１０ｃｍ程度）し、その信号と同期して得られる温度センサ１０６の体温情報を読取る（ステップＳ１）。測定されたこれらの体温情報は、記憶部１５に記憶される(ステップＳ２)。この体温情報は閾値と比較される(ステップＳ３)。例えば、体温の場合、上限値が３７．０℃、下限値が３５．５℃としている。体温情報が異常（測定中の異常も含む）と判断されると、アラームを発生させる（ステップＳ４）。測定終了するとブザー，バイブレータ，光などで報知する（ステップＳ５）。異常がある場合（例えば発熱時の基礎体温）は「発熱」と表示部１１に表示させ、入力部１４でその旨のメモ入力し、記憶部１５に記憶させる。異常の場合、必要に応じてリセットし(ステップＳ６) 、ステップＳ１に戻り、再度体温測定を行なう。異常が無い場合は、測定された体温を記憶し、表示部５１、１１に表示させた後、動作を終了（図５参照）。体温表示は、表示部５１、１１に測定年月日時とともに行なうことが好ましい。また、図４で示したトレンド表示画面と重ねて表示すると体調などと比較しやすくなる。また、介護施設などにおいては、被検者Ｐの氏名と併せて表示するようにしてもよい。
【００１８】
記憶部５５，１５に記憶された、体温，メモ入力等の情報は、表示部１１に所定期間、例えば３０日分表示される。なお、バリオリズム演算・表示機能（後述）と併せて表示できるようにすれば、当日の体調が容易に確認できる。このような情報は、被検者ＰのＩＤとともに、健康関連サービス業者のサーバーや主治医などの医療サイトのサーバーへ暗号化してインターネット，専用ＬＡＮ等により送信し、必要に応じて主治医のコメント等のアドバイスを受けるようにすることができる。
【００１９】
＜その他の機能・動作＞
その他の機能・動作を以下に説明する。
（1）時刻設定
端末装置５の電源ＯＮや携帯端末５０に電池（不図示）を挿入すると、不揮発性メモリであるＲＯＭ５６，１６から、現在の年・月・日・時及びそのサム値を含む必要なデータを読込む。端末装置５の電源ＯＮ時や携帯端末５０に電池が挿入されている間は、不図示の工程にて、時計（タイマ）より１時間に１回、００分毎に信号が演算処理部１０に送られ、演算処理部１０は当該信号を受信したら、その時点の年・月・日・時をＲＯＭ５６，１６に書き込む。
【００２０】
次に、読込んだ現在の年・月・日・時のサム値を計算し、読込んだサム値と等しいかを確認する。等しければそのままＳＬＥＥＰ状態に進む。等しくなければ、読込んだ値が不正と判断し、エラーフラグＦＬＡＧｅｒｒをセット（＝１）する。
【００２１】
次に、電源がＯＮされるまでＳＬＥＥＰ状態で待機する。
【００２２】
電源がＯＮされたら、ＦＬＡＧｅｒｒを確認し、所定条件、たとえばそれが１以外だったら検温動作に移行する。もし、ＦＬＡＧｅｒｒが１だったら、日時入力処理に移行する。ここでは、日時の入力を促す画面が表示され、使用者は画面に従い、現在年月日時分を入力する。別法として、ＦＬＡＧｅｒｒの値によらず、電池を挿入後、初回の電源ＯＮの場合は常に日時入力処理に移行する方法も考えられる。その場合は、サム値及びサムチェックの機能は不要になる。また、電波時計を備えることにより、サム値及びサムチェックの機能は不要になる。こうすることで、使用者による年・月・日・時・分の設定が速やかで容易に行なえ、ＥＥＰＲＯＭの現在年月日時分が破損した場合でも、被検者Ｐ自身で正しい日付を速やかに行なえる。こうして、時計機能及びカレンダ−に基づくカレンダ−機能により、設定された現在時刻が表示部１１に表示される。即ち、午前、午後を示すＡＭ，ＰＭとともにその時の時刻が表示される一方、この時計機能による時間カウントが２４時間経過する毎に日付が更新され、この日付はカレンダ−機能により表示部１１に表示される。尚、表示部１１に「年」を表示するようにしてもよい。
【００２３】
（１）第２の測温部使用時の測定モード
電源スイッチＯＮしたときや、機能スイッチ等によりリセットされたときは測定モードに入る。この測定モードでは、初期状態で現在日の測定値を表示する。
測定開始条件：
測定モードにおいて、被検者Ｐに測温部が装着されると、測温部は、温めはじめられる。初めは、所定間隔、例えば１０秒ごとに、読取りのための読取り信号として、所定の周波数の電磁波（１３．２５ＭＨｚ）をＩＣタグ読取り部から発生させ、温度データをサンプリングしている。本婦人用体温測定装置では、サンプルデータが３０℃を越えてかつ温度上昇率が所定値、例えば０．２５℃／４秒（移動平均値）以上になれば、その時点を起点として体温の測定を開始する。
【００２４】
測定を開始すると所定サンプリング周期（例えば１０秒）ごとに温度センサ１０６により検知され、Ａ／Ｄ変換された温度をサンプリングし、そのサンプルデータをもとに所定の方法で体温を測定する。ここでは測定にピークホールド方式を用いる。ピークホールド方式では、温度を定期的にサンプリングしてそれらサンプリングされた温度のうち最高値を記憶部１５に保持する。サンプルデータの上昇率が所定の値、例えば０．０１９℃／１６秒以下になった時点で測定を終了し、その時点で得られた最高値を測定値として、ＣＰＵ１０により記憶部１５に記憶させる（あるいは、測定開始から所定時間、例えば５分経過後に測定終了してもよい。）。また、測定に用いるサンプルデータは温度センサ１０６からの計測値をそのまま用いず、ある時点におけるサンプルデータとして、そのデータそのものとその前後合わせて３つのサンプルデータの算術加算平均を求め、それをその時点のサンプルデータとして用いる。こうすることでサンプリングごとのばらつきを抑えてより正確に測定を行うことができる。こうして一回の測定を終えると、その旨の報知が、報知部によりブザー，バイブレータ，光，音声で報知されるとともに、ＣＰＵ１０により記憶部１５から測定値が読み出されて表示部１１に表示される。異常と判断された場合で、発熱が認められる時には、「発熱」している旨を入力部５４，１４でメモ入力する。このとき、冬季において、パルスオキシメータを端末５または携帯端末５０に接続し、脈拍，血中酸素飽和度（ＳＰＯ２）の情報を取得する（別途、パルスオキシメータで取得した脈拍，血中酸素飽和度（ＳＰＯ２）の情報を入力部５４，１４で入力してもよい）。この場合の記憶された情報のトレンドグラフを図６に示す。こうすることで体調が一瞥できる。
【００２５】
管理サイト／医療サイト７にはサーバー（データ処理装置）を設置し、被検者ＰのＩＤと関連付けして、脈拍，呼吸，血圧，体温，血中酸素飽和度，血糖等の生体情報の測定データの収集、集計、データ分析等を行うようにしてもよい。また、担当医の机上には管理パソコンを設置し、担当医が随時、被検者Ｐの身体状態を把握、監視するとともに、緊急時の被検者異常通報を受けたり、電話器により適宜看護婦の待機部屋に指示を出したり、ハンディ・ナースコールで連絡したりする（双方向の情報通信）ことができるようにしてもよい。
【００２６】
＜他の使用形態＞
本発明の介護施設および／または在宅における監視装置に使用する携帯端末５０と第１の測温部を用いて通常の電子体温計として使用できる。この場合、被検者Ｐの身体の適所に第１の測温部を貼り付けるなどして装着し、所定時間（１〜５分程度）体温測定すると体温情報は、ＥＥＰＲＯＭ２０２に時刻とともに体温情報が記憶される。記憶された体温情報は携帯端末５０へ外部送信部２０３から信号線を介して外部通信部１２を経て記憶部１５に記憶される（読取り開始スイッチ等を設けて読取り開始指示を行なうようにしてもよい）。記憶された体温情報の最高値を、測定された体温として表示部１１に表示する。また、入力部１４で、血圧（最高血圧／最低血圧）、体重，血糖値も入力し、トレンド記憶できるようになっている。特に妊娠後の体重，血圧，血糖値の変化を標準値と比較して表示部１１に表示することで健康状態が容易に把握できる。
【図面の簡単な説明】
【００２７】
【図１】本発明の一実施例を示す図である。
【図２】本発明の実施例に係るブロック図である。
【図３】本発明の実施例に係る温度測定部を有するＩＣタグのブロック図である。
【図４】本発明の実施例に係る表示例を示す図である。
【図５】本発明の実施例に係る生体情報の取得処理フローを示す図である。
【図６】本発明の実施例に係る表示例を示す図である。
【符号の説明】
【００２８】
１・・・病院、介護施設等の部屋、３・・・ベッド、５・・・端末装置、Ｐ・・・被検者、７・・・管理サイト、８・・・情報通信ネットワーク、５０・・・携帯端末、１００，２００・・・ＩＣタグ、１０１，２０１・・・ＲＡＭ、１０２，２０２・・・ＥＥＰＲＯＭ、１０３・・・送信受信回路、１０３ａ・・・アンテナ、１０６・・・温度センサ
【図１】
2007229082.tif 000003
【図２】
2007229082.tif 000004
【図３】
2007229082.tif 000005
【図４】
2007229082.tif 000006
【図５】
2007229082.tif 000007
【図６】
2007229082.tif 000008
【手続補正書】
【提出日】平成18年4月7日(2006.4.7)
【手続補正１】
【補正対象書類名】明細書
【補正対象項目名】００１７
【補正方法】変更
【補正の内容】
【００１７】
＜体温情報に基づく通常の健康管理＞
被検者Ｐに温度測定部を有するＩＣタグ（ＲＦＩＤ）１００を含む第２の測温部を、上述したように、被検者Ｐに対して、外耳道内に挿入したり、面ファスナー等を備える囲包部材で囲包し、着脱自在にオムツ装着したり、リストバンドに設けたりしてＩＣタグ２００が接触するように身体の適所に装着または貼付ける。測定開始の時間のカウントを開始するか、入力部５４などで測定開始時刻設定（時間設定）指示入力を行なうことにより、測定を開始する。体温情報は、入力部５４で予め設定入力された時間条件、例えば温度測定部を有するＩＣタグ（ＲＦＩＤ）１００を含む第２の測温部を被検者Ｐに装着して測定開始指示入力を行なった時点、所定の温度上昇が確認できた時点等を基点として、例えば５分後にＩＣタグ１００に対してＩＣタグ読取り部５３から所定の周波数、例えば１３．５６ＭＨｚまたは８６０〜９６０ＭＨｚ（ＵＨＦ帯）の電磁波を送信（この場合、送受信距離は、３ｃｍ〜１ｍ程度）し、その信号と同期して得られる温度センサ１０６の体温情報を読取る（ステップＳ１）。測定されたこれらの体温情報は、記憶部１５に記憶される(ステップＳ２)。この体温情報は閾値と比較される(ステップＳ３)。例えば、体温の場合、上限値が３７．０℃、下限値が３５．５℃としている。体温情報が異常（測定中の異常も含む）と判断されると、アラームを発生させる（ステップＳ４）。測定終了するとブザー，バイブレータ，光などで報知する（ステップＳ５）。異常がある場合（例えば発熱時の基礎体温）は「発熱」と表示部１１に表示させ、入力部１４でその旨のメモ入力し、記憶部１５に記憶させる。異常の場合、必要に応じてリセットし(ステップＳ６) 、ステップＳ１に戻り、再度体温測定を行なう。異常が無い場合は、測定された体温を記憶し、表示部５１、１１に表示させた後、動作を終了（図５参照）。体温表示は、表示部５１、１１に測定年月日時とともに行なうことが好ましい。また、図４で示したトレンド表示画面と重ねて表示すると体調などと比較しやすくなる。また、介護施設などにおいては、被検者Ｐの氏名と併せて表示するようにしてもよい。